(57)【要約】【課題】少ない部品点数で小形，コンパクトに構成できるように組立構造を改良した回路遮断器のワイヤ式外部操作装置を提供する。【解決手段】遮断器の本体に外付けし、そのハンドルをワイヤ操作によりオン,オフ,リセット位置に駆動する回路遮断器のワイヤ式外部操作装置で、遮断器本体ケース１の前面に取付けた固定ベース４と、遮断器のハンドル１ｂに嵌合して前記固定ベースに案内支持したスライダー５と、一端をスライダーに結合して遠隔操作部との間に結線した操作ワイヤ９とからなる構成において、装置の部品点数削減，小形化を図るために、前記固定ベース４のスライダー案内部４cおよびスライダー５を共に断面Ｕ字形のチャンネル形状となし、スライダーを固定ベースの前記案内部に嵌入してハンドルのオン，オフ方向へスライド可能に支持する。【選択図】        図１
2006331961.tif 000002
【特許請求の範囲】
【請求項１】
遮断器の本体ケースに外付けし、そのハンドルをワイヤ操作によりオン,オフ,リセット位置に駆動する回路遮断器のワイヤ式外部操作装置であって、遮断器本体ケースの前面に取付けた固定ベースと、遮断器のハンドルに嵌合して前記固定ベースに案内支持したスライダーと、一端をスライダーに結合して遠隔操作部との間に結線した操作ワイヤとからなるものにおいて、
前記固定ベースのスライダー案内部およびスライダーを断面Ｕ字形のチャンネル形状となし、スライダーを固定ベースの前記案内部に嵌入してスライド可能に案内支持したことを特徴とする回路遮断器のワイヤ式外部操作装置。
【請求項２】
遮断器の本体ケースに外付けし、そのハンドルをワイヤ操作によりオン,オフ,リセット位置に駆動する回路遮断器のワイヤ式外部操作装置であって、遮断器本体ケースの前面に取付けた固定ベースと、遮断器のハンドルに嵌合して前記固定ベースに案内支持したスライダーと、一端をスライダーに結合して遠隔操作部との間に結線した操作ワイヤとからなり、スライダーの底面に角穴を開口してハンドルに嵌挿したものにおいて、
前記スライダーに、先端をハンドルに押し当ててオフ，リセット位置に押し込む板ばねのプッシャ片を設けたことを特徴とする回路遮断器のワイヤ式外部操作装置。
【発明の詳細な説明】
【技術分野】
【０００１】
本発明は、配線用回路遮断器，漏電遮断器などを対象に、回路遮断器の外部付属装置として遮断器の本体ケースに外付けし、そのハンドルをワイヤの遠隔操作によりオン,オフ,リセット位置に駆動する回路遮断器のワイヤ式外部操作装置に関する。
【背景技術】
【０００２】
配電盤内に装備した頭記の回路遮断器を、盤外からのワイヤ遠隔操作によりオン,オフ,リセット位置に駆動するようにしたワイヤ式外部操作装置が従来知られている（例えば特許文献１参照）。
次に、上記したワイヤ式外部操作装置の従来構造を図７，図８に示す。図において、１は回路遮断器の本体ケース、２は回路遮断器の本体ケース１に外付けしたワイヤ式外部操作装置であり、該装置の遠隔操作により回路遮断器のケースカバー１ａから前方に突き出した開閉操作用のハンドル（レバー形）１ｂをオン，オフ，リセット位置に駆動する。
一方、ワイヤ式外部操作装置２は、遮断器本体ケース１に対してそのケースカバー１ａの上に取付台座３を介して外付けされ、その構造は固定ベース４と、ハンドル１ｂに嵌合して固定ベース４に案内支持したスライダー５と、スライダー５に一端を結合して遠隔操作部（図示せず）との間に引き回した操作ワイヤ９との組立体からなる。
【０００３】
ここで、固定ベース４はその板面中央にハンドル１ｂとの干渉を避ける逃げ穴を開けた幅広な平板で、その左右側縁には上下二箇所に分散してタブ状のスライダー案内部４ａが起立形成されており、この案内部４ａのガイド溝に跨がるようにスライダー５を嵌合して上下方向にスライド可能に案内支持している。一方、スライダー５はその板面中央にハンドル１ｂが嵌挿する角穴５ａを開口するとともに、上下両端をＬ字形に屈曲してその間に左右一対のガイド棒（ボルト）６を設け、このガイド棒６の間に跨がってハンドル１ｂを上下両側から挟むようにプッシャ駒７がガイド棒に嵌挿したスペーサ７ａ，および圧縮コイルばね８を介して架設されている。また、操作ワイヤ９は周知のように外装チューブ９ａにワイヤ９bを通したものであり、ワイヤ９ｂはその先端をスライダー５の上端に連結し、外装チューブ９ａは固定ベース４の下端からＬ字状に起立した端板４ｂに固定されている。
【０００４】
上記の構成で、操作ワイヤ９の遠隔操作によりスライダー５を上方に押し上げると、前記プッシャ駒７（下側）を介して回路遮断器のハンドル１ｂがオン位置に駆動される。また、遮断器のオン状態で前記と逆に操作ワイヤ９を引っ張ってスライダー５を下方に引き下げると、ハンドル１ｂがオフ位置に駆動される。さらに、回路遮断器がトリップ動作した後に再投入する場合には、トリップ位置に停止しているハンドル１ｂを一旦オフ位置に駆動して開閉機構をリセットさせた後、改めてオン位置に駆動する。なお、このリセット操作時に、図示構造では圧縮コイルばね８がスライダー５のオーバーストロークを吸収し、ハンドル１ａに過大な操作荷重が加わって折損するのを防ぐようにしている。
【特許文献１】発明協会公開技報公技番号２００４−５０６８１９号
【発明の開示】
【発明が解決しようとする課題】
【０００５】
ところで、前記した従来構造のワイヤ式外部操作装置は、構造および使用面で次記のような問題点がある。すなわち、
（１）図７のように従来構造では、スライダー５が幅の広い平板であり、これを案内支持する固定ベース４は更に幅寸法が大きくなって遮断器本体ケース１の前面を広い範囲で覆うようになる。一方、回路遮断器は、図９で示すようにケースカバー１ａにハンドル１ｂを挟んでその左右両側に銘板１ｃ，トリップボタン１ｄ，テストボタン１ｅ，感度電流切替スイッチ１ｆ，動作時間切替スイッチ１ｇなどを配置しており、このためにケース前面に外付けした外部操作装置２の占有スペースが広いと、固定ベース２の後ろに銘板１ｃ，各種スイッチ，ボタンが隠れてしまい、回路遮断器のメンテナンス，設定変更の際には外部操作装置２は取り外す必要があるなど、その作業に手間と時間が掛かる問題がある。
（２）また、操作ワイヤ９を介してスライダー５に加える駆動力をハンドル１ａに伝えるために、従来構造ではスライダー５に２本のガイド棒６，プッシャ駒７，スペーサ７ａ，圧縮コイルばね８などの数多い部品を組み付けており、このために操作装置の部品点数，組立工数が多くなって製品がコスト高となる。
【０００６】
本発明は上記の点に鑑みなされたものであり、その目的は前記課題を解決し、少ない部品点数で小形，コンパクトに構成でき、しかも回路遮断器のリセット操作時にスライダーのオーバーストロークを巧みに吸収してハンドルの破損を防護できるように組立構造を改良した回路遮断器のワイヤ式外部操作装置を提供することにある。
【課題を解決するための手段】
【０００７】
上記目的を達成するために、本発明によれば、遮断器の本体ケースに外付けし、そのハンドルをワイヤ操作によりオン,オフ,リセット位置に駆動する回路遮断器のワイヤ式外部操作装置で、遮断器本体ケースの前面に取付けた固定ベースと、遮断器のハンドルに嵌合して前記固定ベースに案内支持したスライダーと、一端をスライダーに結合して遠隔操作部との間に結線した操作ワイヤとからなる構成において、
装置の部品点数削減，小形化を図るために、前記固定ベースのスライダー案内部およびスライダーを共に断面Ｕ字形のチャンネル形状となし、スライダーを固定ベースの前記案内部に嵌入してハンドルのオン，オフ方向へスライド可能に支持するようにする（請求項１）。
また、リセット操作時におけるスライダーのオーバーストロークが原因でハンドルが破損するのを防ぐ手段として、前記スライダーに板ばね材のプッシャ片を設け、その先端をハンドルに押し当ててオフ，リセット位置に押し込むようにする（請求項２）。
【発明の効果】
【０００８】
上記構成によれば、図７に示した従来構造と比べて部品点数が大幅に減少し、組立工数を含めて製品コストが低減する。また固定ベースのスライダー案内部，およびスライダーを断面Ｕ字形のチャンネル構造として両者を嵌合式に案内支持するようにしたことで、従来の平板構造と比べて装置の横幅が縮減し、これにより回路遮断器のケース前面に外付けた状態で、遮断器側の銘板，各種切替ボタン，スイッチ類を覆い隠すことがなくなって回路遮断器に対するメンテナンス性が向上する。さらに、従来構造のガイド棒，圧縮コイルばねに代えてスライダーに簡単な板ばね材のプッシャ片を設けたことにより、スライダーの外形寸法はそのままで、回路遮断器のリセット操作時に加わるスライダーのオーバーストロークを板ばねプッシャ片の撓みにより吸収してハンドルに過大な荷重が作用するのを防止できる。
【発明を実施するための最良の形態】
【０００９】
以下、本発明の実施の形態を図１〜図６に示す実施例に基づいて説明する。
【実施例１】
【００１０】
まず、本発明の請求項１に対応する実施例を図１〜図４で説明する。この実施例においては、遮断器のケースカバー１ａの前面に取付台座３を介して取り付けた固定ベース４は、図３（ａ）〜（ｃ）で示すような形状の板金加工品で、そのスライダー案内部４ｃは断面Ｕ字形で、かつその長手方向に沿った側縁をさらに内側に屈曲してスライダー５の脱落を防ぐようにしたチャンネル形状になる。また、固定ベース４の下端から起立して操作ワイヤ９の外装チューブ９ａを固定する端板４ｂにはＬ字状の溝４ｂ−１を切欠き形成し、この溝内に操作ワイヤ９を嵌挿して外装チューブ９ａを簡単に固定できるようにしている。なお、４ｄはスライダー５の移動ストロークに沿ってベースの底面に開口した切欠穴、４ｅは底面から裏面側に切り起こした支脚である。
一方、前記の固定ベース４に案内支持されるスライダー５は、図４（ａ）〜（ｃ）で示すように、固定ベース４の案内部４ｃの断面形状に対応した断面Ｕ字形のチャンネル状の板金加工品になり、図１のように固定ベース２の案内部４ｃに嵌合してスライド可能に案内支持されている。また、スライダー５の底壁には遮断器のハンドル１ｂが遊嵌する角穴５ａが開口し、その角穴の下側開口縁（ハンドル１ｂを押し上げる部分）を裏面側にカーリングしてハンドル１ｂに対峙させるようにし、さらに上側の開口縁には角穴５ａに向けてＲ形状の先端が突き出すようにプッシャ片１０を取り付けてハンドル１ａを上下方向から挟み込むようにしている。
【００１１】
上記の構成によれば、図７に示した従来構造の外部操作装置２と比べて、部品点数が大幅に削減され、かつ横幅も小さく構成できる。したがって、外部操作装置２を外付けしたままの状態でも、回路遮断器の前面に配置した銘板，設定切替ボタン，スイッチなどの操作を邪魔されることなく行うことができる。
【実施例２】
【００１２】
次に、本発明の請求項２に対応する実施例を図５，図６で説明する。この実施例では、外部操作装置２の組立構造は先記実施例１と基本的に同じであるが、図１に示したプッシャ片（板金品）１０に代えて、板ばね材で作られたプッシャ片１１がスライダー５の底面にリベット１２でかしめ止めされている。
このプッシャ片１１は先端部１１ａを湾曲状に折り返した形状で、その先端部１１ａがスライダー５に開口した角穴５ａ(図４参照)に上方から突き出してハンドル１ｂに対峙するように設置されている。
上記の構成により、スライダー５をリセット位置に駆動する際に、板ばね材のプッシャ片１１が次記のようにスライダー５のオーバーストロークを吸収してハンドル１ｂに過大な荷重が加わるのを防止するように機能する。
【００１３】
すなわち、操作ワイヤ９を介して行う通常のオフ操作では、図６（ａ）で示すようにプッシャ片１１がハンドル１ｂを押し下げてオフ位置に駆動する。一方、回路遮断器のトリップ動作後にハンドル１ｂをリセット位置へ押し込む過程で、操作ワイヤ９からの引っ張り力でスライダー５が定位置を超えてオーバーストロークすると、図６（ｂ）で示すようにハンドル１ｂに押し当てたプッシャ片１１の先端部１１ａが撓み、オーバーストロークによる過大な駆動力を逃がす。これにより、ハンドル１ｂに過大な荷重が直接加わって破損するトラブルを防止できる。
【図面の簡単な説明】
【００１４】
【図１】本発明の実施例１に係わる外部操作装置を遮断器に外付けした状態の外形斜視図
【図２】図１の側視断面図
【図３】図１における固定ベースの構造図で、（ａ），（ｂ），（ｃ）はそれぞれ正面図，側面図，および端面図
【図４】図１におけるスライダーの構造図で、(ａ），（ｂ），（ｃ）はそれぞれ正面図，側面図，および端面図
【図５】本発明の実施例２に係わる外部操作装置を遮断器に外付けした状態の外形斜視図
【図６】図５におけるプッシャ片の動作説明図で、（ａ），（ｂ）はそれぞれオフ操作，リセット操作の動作状態を表す側視断面図
【図７】回路遮断器に外付けしたワイヤ式外部操作装置の従来構造を示す外観斜視図
【図８】図７の側視断面図
【図９】回路遮断器の正面図
【符号の説明】
【００１５】
１    回路遮断器の本体ケース
１ａ  ケースカバー
１ｂ  ハンドル
２    外部操作装置
４    固定ベース
４ｃ  スライダー案内部
５    スライダー
５ａ  角穴
９    操作ワイヤ
１１    プッシャ片（板ばね）
１１ａ  プッシャ片の先端部
【図１】
2006331961.tif 000003
【図２】
2006331961.tif 000004
【図３】
2006331961.tif 000005
【図４】
2006331961.tif 000006
【図５】
2006331961.tif 000007
【図６】
2006331961.tif 000008
【図７】
2006331961.tif 000009
【図８】
2006331961.tif 000010
【図９】
2006331961.tif 000011